(57)【要約】【課題】静止画像データから変換されて生成された動画像を閲覧しているときに、動画像の各画面が、どの静止画像に対応しているのか分かることができるようにする。【解決手段】記録媒体に対して、動画記録方式に従って動画像データを記録するとともに、静止画記録方式に従って静止画像データを記録する記録手段と、前記記録媒体に記録された静止画像データを用いて前記動画記録方式に従う変換動画データを生成する変換動画生成手段と、前記変換動画生成手段が変換動画データを生成する際に用いた静止画像データに係る副情報データを生成する副情報生成手段とを設け、変換された動画像を閲覧しているときに、必要に応じて所望の副画像データを重ね合わせて表示できるようにする。【選択図】図１
2007281727.tif 000002
【特許請求の範囲】
【請求項１】
記録媒体に対して、動画記録方式に従って動画像データを記録するとともに、静止画記録方式に従って静止画像データを記録する記録手段と、
前記記録媒体に記録された静止画像データを用いて前記動画記録方式に従う変換動画データを生成する変換動画生成手段と、
前記変換動画生成手段が変換動画データを生成する際に用いた静止画像データに係る副情報データを生成する副情報生成手段とを備え、
前記記録手段は、前記変換動画データと前記静止画像データとを前記動画記録方式に従って多重化して前記記録媒体に記録することを特徴とする記録装置。
【請求項２】
前記記録手段は、前記変換動画データを再生する時に、前記副情報データに係る副情報と前記変換動画データの再生画像とを多重化して表示するか否かを任意に選択することが可能な形態で前記変換動画データと前記副情報データとを記録することを特徴とする請求項１に記載の記録装置。
【請求項３】
前記副情報生成手段は、前記静止画像データとともに前記記録媒体に記録されている付加情報を用いて前記副情報データを生成することを特徴とする請求項１に記載の記録装置。
【請求項４】
前記付加情報は、前記静止画像データの記録日時情報を含むことを特徴とする請求項３に記載の記録装置。
【請求項５】
前記静止画像データはファイル形式で記録され、前記付加情報は前記静止画像データのファイル名の情報を含むことを特徴とする請求項３に記載の記録装置。
【請求項６】
記録媒体に対して、動画記録方式に従って動画像データを記録するとともに、静止画記録方式に従って静止画像データを記録する記録工程と、
前記記録媒体に記録された静止画像データを用いて前記動画記録方式に従う変換動画データを生成する変換動画生成工程と、
前記変換動画生成工程において変換動画データを生成する際に用いた静止画像データに係る副情報データを生成する副情報生成工程とを有し、
前記記録工程においては、前記変換動画データと前記静止画像データとを前記動画記録方式に従って多重化して前記記録媒体に記録することを特徴とする記録方法。
【請求項７】
前記記録工程においては、前記変換動画データを再生する時に、前記副情報データに係る副情報と前記変換動画データの再生画像とを多重化して表示するか否かを任意に選択することが可能な形態で前記変換動画データと前記副情報データとを記録することを特徴とする請求項６に記載の記録方法。
【請求項８】
前記副情報生成工程においては、前記静止画像データとともに前記記録媒体に記録されている付加情報を用いて前記副情報データを生成することを特徴とする請求項６に記載の記録方法。
【請求項９】
前記付加情報は、前記静止画像データの記録日時情報を含むことを特徴とする請求項８に記載の記録方法。
【請求項１０】
前記静止画像データはファイル形式で記録され、前記付加情報は前記静止画像データのファイル名の情報を含むことを特徴とする請求項８に記載の記録方法。
【請求項１１】
記録媒体に対して、動画記録方式に従って動画像データを記録するとともに、静止画記録方式に従って静止画像データを記録する記録工程と、
前記記録媒体に記録された静止画像データを用いて前記動画記録方式に従う変換動画データを生成する変換動画生成工程と、
前記変換動画生成工程において変換動画データを生成する際に用いた静止画像データに係る副情報データを生成する副情報生成工程とを有し、
前記記録工程においては、前記変換動画データと前記静止画像データとを前記動画記録方式に従って多重化して前記記録媒体に記録する記録方法をコンピュータに実行させることを特徴とするプログラム。
【請求項１２】
請求項１１に記載のプログラムを記録したことを特徴とするコンピュータ読み取り可能な記録媒体。
【発明の詳細な説明】
【技術分野】
【０００１】
本発明は記録装置、記録方法、プログラム及び記録媒体に関し、特に、動画像と静止画像とを記録媒体に記録する装置に用いて好適な技術に関する。
【背景技術】
【０００２】
近年、ＤＶＤなどのディスク媒体に対して動画像や静止画像を記録するビデオカメラが実用化されている。このようなビデオカメラにおいて使用する記録媒体として、例えば、ＤＶＤを用いる場合には、動画像はＭＰＥＧ方式にて圧縮符号化し、ＤＶＤビデオ規格やＤＶＤビデオレコーディング（ＶＲ）規格にて記録する。
【０００３】
一方、静止画は、ＪＰＥＧ方式にて圧縮符号化し、ＤＣＦ（Design rule for Camera File system）と呼ばれる記録フォーマットに従って記録するのが一般的である。このように、ＤＶＤビデオ規格や記録フォーマットに従って記録された動画像と静止画像を再生するためには、それぞれ異なる記録方式に対応したデコーダや再生機能が必要となる。
【０００４】
これに対し、一般的なＤＶＤプレーヤでは、動画再生機能しか持たない場合がほとんどである。そのため、静止画像が記録されている場合でも、それを再生できない問題点があった。
【０００５】
そこで、静止画記録方式に従って記録した静止画像データを一旦復号し、改めてＭＰＥＧ方式で符号化して動画記録方式にて記録する方法が提案されている（例えば、特許文献１を参照）。このように、静止画像を動画像に変換して記録する処理を行うことにより、静止画再生機能を持たない一般の再生装置であっても、記録されている静止画像を閲覧することができるようにしている。
【０００６】
【特許文献１】特開２００４−２０１１７０号公報
【発明の開示】
【発明が解決しようとする課題】
【０００７】
しかしながら、従来のＤＶＤプレーヤの構成では、静止画像データから変換されて生成された動画像を閲覧することはできるが、変換された動画像の各画面が、どの静止画像に対応しているのか分からないという問題点があった。
【０００８】
そのため、例えば、気に入った静止画像を印刷したい場合に、どの静止画像ファイルを印刷すればよいのか分からない問題点があった。
本発明は前述の問題点にかんがみ、静止画像データを変換して生成された動画像を閲覧しているときに、動画像の各画面が、どの静止画像に対応しているのか分かるようにすることを目的としている。
【課題を解決するための手段】
【０００９】
本発明の記録装置は、記録媒体に対して、動画記録方式に従って動画像データを記録するとともに、静止画記録方式に従って静止画像データを記録する記録手段と、前記記録媒体に記録された静止画像データを用いて前記動画記録方式に従う変換動画データを生成する変換動画生成手段と、前記変換動画生成手段が変換動画データを生成する際に用いた静止画像データに係る副情報データを生成する副情報生成手段とを備え、前記記録手段は、前記変換動画データと前記静止画像データとを前記動画記録方式に従って多重化して前記記録媒体に記録することを特徴とする。
【００１０】
本発明の記録方法は、記録媒体に対して、動画記録方式に従って動画像データを記録するとともに、静止画記録方式に従って静止画像データを記録する記録工程と、前記記録媒体に記録された静止画像データを用いて前記動画記録方式に従う変換動画データを生成する変換動画生成工程と、前記変換動画生成工程において変換動画データを生成する際に用いた静止画像データに係る副情報データを生成する副情報生成工程とを有し、前記記録工程においては、前記変換動画データと前記静止画像データとを前記動画記録方式に従って多重化して前記記録媒体に記録することを特徴とする。
【００１１】
本発明のプログラムは、記録媒体に対して、動画記録方式に従って動画像データを記録するとともに、静止画記録方式に従って静止画像データを記録する記録工程と、前記記録媒体に記録された静止画像データを用いて前記動画記録方式に従う変換動画データを生成する変換動画生成工程と、前記変換動画生成工程において変換動画データを生成する際に用いた静止画像データに係る副情報データを生成する副情報生成工程とを有し、前記記録工程においては、前記変換動画データと前記静止画像データとを前記動画記録方式に従って多重化して前記記録媒体に記録する記録方法をコンピュータに実行させることを特徴とする。
【発明の効果】
【００１２】
本発明によれば、静止画像データを変換して生成された動画像に対して、副情報データを記録できるようにしたので、変換された動画像を閲覧しているときに、必要に応じて所望の副情報データを重ね合わせて表示させることが可能となり、静止画像データを変換して生成された動画像を閲覧しているときに、気に入った静止画像を印刷したい場合に、どの静止画像ファイルを印刷すればよいのかを簡単に知ることができる。
【発明を実施するための最良の形態】
【００１３】
（第１の実施形態）
以下、図面を参照しながら本発明の好適な実施形態を説明する。以下に説明する実施形態として撮像装置、具体的にはＤＶＤビデオカメラの例について説明する。図１に、本実施形態の撮像装置の構成例を示す。
【００１４】
図１において、１０１は撮像装置全体の制御を担う制御部である。１０２は焦点距離や絞りの状態を変更可能なレンズ、１０３は例えばＣＣＤのような撮像素子でレンズ１０２により結像した光を電気信号に変換する機能を有している。１０４は信号処理部であり、入力動画像信号に対してホワイトバランスやガンマ補正等の所定の信号処理を行い、動画像データまたは静止画像データとして、後述するメモリ１１４に一時記録する。
【００１５】
１０５はＭＰＥＧ２符号／復号化部であり、メモリ１１４に一時記録された動画像データをＭＰＥＧ２方式で符号化し、また、再生された動画像データを復号する。１０６はＪＰＥＧ符号／復号化部であり、メモリ１１４に一時記録された静止画像データをＪＰＥＧ方式で符号化し、また、再生された静止画像データを復号して、メモリ１１４に書き戻す機能を有している。
【００１６】
１０７はサブピクチャ符号化／復号化部であり、制御部１０１がメモリ１１４に生成したサブピクチャ（副画像）のビットマップデータを符号化し、また、再生されたサブピクチャデータを復号してメモリ１１４に書き戻す機能を有している。本実施形態は符号化方式として、ランレングス符号化を用いている。サブピクチャの詳細については、後に説明する。
【００１７】
１０８はマイクであり、音声（物理的な振動）を音声信号（電気信号）に変換する機能を有している。１０９はスピーカであり、マイク１０８とは逆に音声信号を音声に変換する機能を有している。
【００１８】
１１０は音声信号符号／復号化部であり、サブピクチャ符号化／復号化部１０７より入力された音声信号を所定の符号フォーマットにて符号化してメモリ１１４に一時記録する機能を有している。また、メモリ１１４に保持された所定の符号化データから音声信号を復号する機能を有している。符号フォーマットとしては、本実施形態ではＤＶＤビデオで使用されるＡＣ３（Audio Code number 3）を用いている。
【００１９】
１１１はディスク制御部、１１２は記録媒体であるところのＤＶＤディスクである。ディスク制御部１１１は、メモリ１１４に保持された、ＭＰＥＧ２データ、音声データ、サブピクチャデータを多重化してＤＶＤディスク１１２に記録する。また、再生時にはＤＶＤディスク１１２に記録されたデータを読み出し、読み出しデータからＭＰＥＧ２データ、音声データ、サブピクチャデータを分離し、メモリ１１４の所定の領域に書き出す機能を有している。同様に、静止画像データについてもＤＶＤディスク１１２に記録することができる。
【００２０】
１１３はフラッシュメモリであり、制御部１０１で動作させるプログラムの格納及び各種設定データの保存等に利用される。さらには、前述のサブピクチャに利用するビットマップデータ等も保持されている。このフラッシュメモリ１１３に記録されたデータは、本実施形態のＤＶＤビデオカメラの電源が切られた状態でも保持されるため、電源断後も保持する必要のある管理データ等を保持するためにも利用される。
【００２１】
１１４はメモリであり、ＭＰＥＧ２データバッファ、音声データバッファ、サブピクチャデータバッファ、ワークメモリ等に使用される。１１５は表示部であり、復号された映像データの表示デバイスとしての利用、撮影時のビューファインダーとしての機能も有している。また、利用者が本装置を操作する場合の、操作画面としての機能も兼ね備えている。１１６はデータバスであり、制御部１０１から、各機能ブロックへのアクセス及び、メモリ１１４を介しての各機能ブロック間のデータ転送等に使用される。
【００２２】
前記のように構成された本実施形態のＤＶＤビデオカメラにおいては、動画像はＭＰＥＧ２方式で符号化された後、所定の記録方式によってＤＶＤディスク１１２に記録される。本実施形態では、動画像データはＤＶＤビデオフォーマットで記録するようにしている。また、静止画像データはＪＰＥＧ方式で符号化し、ＤＣＦに準拠してＤＶＤディスク１１２に記録する。
【００２３】
動画像及び静止画像が記録されたＤＶＤディスク１１２の記録状態の一例を図２（ａ）に示す。図２（ａ）に示すように、１つ以上のチャプターからなる１タイトル分の動画像データが、ＶＴＳ（Video Title Set）情報として、連続的に記録される（２０１）。
【００２４】
一方、静止画像は、タイトル間の領域に１枚以上の静止画像データとして記録することが可能である（２０２）。また、ＶＴＳの管理情報であって、各ＶＴＳ情報を統轄的に管理し、複数のＶＴＳのつながりを乱すことなく連続再生することができるようにするためのＶＭＧ（Video Manager）情報が設けられている（２０３）。
【００２５】
ＤＶＤビデオフォーマットの場合には、記録されたＶＴＳに応じてＶＭＧを記録することで、当該ＤＶＤを再生用として用いることができるようにするための、いわゆるファイナライズ処理を必要とする。
【００２６】
本実施形態のＤＶＤビデオカメラでは、使用者からの指示があった場合、あるいはファイナライズ時に、ＤＶＤディスク１１２に記録されている全ての静止画像データを読み出す。そして、これをＭＰＥＧ方式で符号化し、ＤＶＤビデオフォーマットに従って、新規ＶＴＳ（符号２０４）としてＤＶＤ１１２に追加記録する処理を行うようにしている（図２（ｂ））。このようにして生成されたＶＴＳをフォトムービーと呼ぶことにする。
【００２７】
これにより、フォトムービーを再生することにより、静止画再生機能を持たないＤＶＤ再生機器においても、記録された静止画像の様子を閲覧することが可能となる。当然ながら、元となる静止画像データもそのまま記録されているため、静止画再生機能を有している再生装置では、静止画像データ２０２を再生して閲覧することも可能である。
【００２８】
さらに、本実施形態のＤＶＤビデオカメラでは、フォトムービー作成時に、１つ以上のサブピクチャストリームを記録することを特徴としている（図３）。サブピクチャは、例えば映画における字幕の表示等に使用され、主となる映像データの上に重ねて表示されるビットマップデータであり、ビデオストリームとは異なるストリームとして記録される。そのため、再生時において、再生画像に対してサブピクチャを多重化して表示するか否かを選択することが可能である。
【００２９】
また、一つの動画ストリームについてサブピクチャストリームを複数持たせるようにして、表示内容を切り替えるようにすることも可能である。例えば、字幕の言語選択を行うようにサブピクチャストリームを選択することが可能である。
【００３０】
本実施形態のＤＶＤビデオカメラでは、ＤＣＦ準拠で記録された静止画像データとともに記録されている付加情報を読み取り、その情報に基づいてサブピクチャを生成するようにしている。例えば、本実施形態では、撮影日時情報やファイル名、ファイルパスなどの付加情報を再生し、これらの文字情報をビットマップデータとした二つのサブピクチャを生成することができる。
【００３１】
図３に、フォトムービーとともに表示されるサブピクチャの様子を示す。
このように生成されたサブピクチャのストリームと、主画像３０１のストリームとが多重化されてフォトムービー３０４が生成される。このフォトムービー３０４は、再生時には利用者の指示により、符号３０５〜３０７のように表示状態を種々選択することができる。
【００３２】
次に、図４を参照しながら前記フォトムービーの構成について説明する。
本実施形態では、静止画像データをＭＰＥＧ方式のＩピクチャーに変換し、変換後のＩピクチャーをＤＶＤビデオフォーマットの１チャプターに割り当てるようにする変換を実施している。
【００３３】
図４は、この実施形態のＤＶＤビデオカメラにおいて、４枚の静止画（４チャプター）を１タイトルとしてフォトムービーに変換し、ＤＶＤディスク１１２に記録したときの様子を示す図である。
【００３４】
図４（ａ）においては、図２の場合と同様に、各ＶＴＳは１つのタイトルを示し、ＶＴＳ＃ｎはｎ番目のタイトルが記録されたＶＴＳであることを示している。図４（ａ）においては、静止画をタイトル・チャプターとする処理を行う前にはVTS#１〜５の５個のタイトルが記録されており、６個目のタイトルとしてフォトムービーを記録した様子を示している。
【００３５】
そして、ＪＰＥＧ静止画像データから、ＭＰＥＧ方式のＩピクチャー形式の静止画像データが形成され、これが複数枚（この図４の例の場合には４枚）がまとめられて、ＶＴＳ＃６が形成され（フォトムービ−）、これがＤＶＤディスク１１２に記録される。
【００３６】
各ＶＴＳには、図４（ｂ）に示すように、ＶＴＳＩ（Video Title Set Information）４０１と、VTSTT＿VOBS（Video Object Set for Title）４０２と、VTSI＿BUP（Video Title Set Information backup）４０３とが設けられる。VTSTT＿VOBSは、図４（ｃ）に示すように、複数のチャプター分のＶＯＢ （Video Object）４０４が存在できるようにされている。本実施形態の場合は４つのＶＯＢとなる。
【００３７】
また、ＶＴＳＩは、VTSTT＿VOBSに記録するようにされている複数の各チャプターを管理し、いつでも読み出したりすることができるようにするための管理情報であり、ＶＴＳＩ＿BUPは、ＶＴＳＩのバックアップ情報であり、その内容は、ＶＴＳＩと同じである。
【００３８】
そして、本来のＤＶＤビデオフォーマットにおいては、各ＶＯＢ中には、複数のＣＥＬＬが存在できるように規定されている。本実施形態のＤＶＤビデオカメラにでは、図４（ｃ）のＶＯＢと図４（ｄ）のＣＥＬＬ４０５とが１対１に対応し、ＪＰＥＧ静止画像データから形成されたＭＰＥＧ方式のＩピクチャーの静止画像が記録されたＶＴＳの１つのＶＯＢを、１つのＣＥＬＬとして構成する。
【００３９】
すなわち、常に１ＶＯＢ＝１ＣＥＬＬ＝１チャプターの関係が成り立つようにしている。このようにすることにより、再生時のチャプタージャンプ操作により、表示静止画を切り替えることが可能になり、利用者にとって利便性の高いフォトムービーとなる。Cell内には、Cell  Still  Timeと呼ばれる領域があり、Cellが、静止画であるときにはCell  Still  TimeにはそのCell（静止画像）を再生する秒数を指定する。
【００４０】
また、ＤＶＤビデオフォーマットにおいては、Cell内には、複数のVOBU（Video Object Unit）４０６も複数存在させることができるが、本実施形態のＤＶＤビデオカメラにおいては、図４（ｅ）、（ｆ）に示すように、少なくともＪＰＥＧ静止画像データから形成されたＭＰＥＧ方式のＩピクチャーの静止画像が記録するようにされたＶＴＳのCell内のVOBUは１つで構成する。
【００４１】
VOBU内は、図４（ｆ）に示すように、その先頭に早送りや早戻しなどを実現するためのデータサーチインフォメーションなどを含むNV＿PCK（navigation pack）４０７が設けられ、続いて複数のV＿PCK（video pack）４０８及びSP＿PCK（sub picture pack）４０９、４１０が多重化されるかたちで続く。
【００４２】
特に、サブピクチャは前述の通り、２本のサブストリームを記録するため、ＳＰ１，２が多重化される。それぞれのパック（PCK）は２０４８バイト固定長のデータブロックである。VOBUに含まれるV＿PCKのパック（pack）数は１つのＭＰＥＧ方式のIピクチャーを収めることができる容量に必要なパック数である。同様に、それぞれのサブストリームに対応するSP＿PCKのパック数は、１枚のサブピクチャを収めることができる容量に必要なパック数である。
【００４３】
次に、図５のフローチャートを参照しながら以上の構成のフォトムービ−を生成する手順の一例を説明する。
フォトムービ−処理が起動されると（ステップＳ５０１）、ＤＶＤディスク１１２にＤＣＦに準拠するフォーマットで記録されたＪＰＥＧデータ、及びそれに対応する管理情報（本実施形態では、撮影日時とファイルパス）を読み出す（ステップＳ５０２、５０６）。
【００４４】
読み出されたＪＰＥＧデータは、ＪＰＥＧ復号化部１０６により静止画像に復号され、メモリ１１４に保持される（ステップＳ５０３）。静止画像は、ＭＰＥＧ２符号化部１０５により、ＭＰＥＧ形式のＩピクチャに再符号化され、メモリ１１４に書き戻される（ステップＳ５０４）。
【００４５】
一方、読み出された静止画像管理情報は、フラッシュメモリ１１３に記録されている文字ビットマップデータ、アイコンビットマップデータ等が組み合わされて、撮影日時を表す「サブピクチャ１」、ファイルパスを表す「サブピクチャ２」のビットマップデータが生成される（ステップＳ５０７、ステップＳ５１０）。
【００４６】
これらのステップＳ５０７、ステップＳ５１０において生成された各ビットマップデータは、サブピクチャ符号化部１０７によりサブピクチャデータに順次符号化され、メモリ１１４に保持される（ステップＳ５０８、ステップＳ５１１）。
【００４７】
前述の通り、メモリ１１４に保持されたＩピクチャデータ、サブピクチャデータは、ステップＳ５０５、ステップＳ５０９、ステップＳ５１２において、Ｖパック、ＳＰ１、ＳＰ２パックに夫々分解される。そして、先頭にＮＶパックの配置された、VOBUに多重化され（ステップＳ５１３）、VTSTT＿VOBSに追加されるかたちで、ＤＶＤディスク１１２に記録される（ステップＳ５１４）。
【００４８】
前述の一連の作業を全静止画に対して実施したか否かを判断する（ステップＳ５１５）。この判断の結果、全てについて実施していない場合にはステップＳ５０２、ステップＳ５０６に戻って前述した処理を繰り返し行う。また、VTSTT＿VOBSに追加すべきＶＯＢＵが全てＤＶＤディスクに記録されると、静止画像の再生秒数を示すCell Still Timeなどを含むＶＴＩＳ及びそのバックアップとなるVTSI＿BUPを生成し、ＤＶＤディスクに記録する（ステップＳ５１６）。
【００４９】
さらに、ＤＶＤディスク１１２の全体を管理するＶＭＧを更新する。ＶＭＧのＤＶＤディスク１１２への書き出しはファイナライズ時に実施されるため、本処理により更新されたＶＭＧはフラッシュメモリ１１３に記録される。
【００５０】
このように、フォトムービ−が記録されたＤＶＤディスクは、最終的にはファイナライズ処理が実施され、一般的なＤＶＤ再生装置で再生可能なＤＶＤディスクとなり、フォトムービ−も閲覧することができるようになる。
【００５１】
以上、本実施形態では、サブピクチャ２枚を多重化する場合について示したが、DVD−Videoの規格においては、最大３２のサブピクチャを多重化することができる。また、音声データをA＿PCK（audio pack）として多重化記録し、音声・音楽付きフォトムービ−を作成することもできる。
【００５２】
次に、フォトムービーの再生について説明する。再生時におけるメモリ１１４の様子を図６に示す。
ユーザがフォトムービーの再生を指示すると、制御部１０１はディスク制御部１１１を制御し、指定されたフォトムービーのＶＴＳをＤＶＤディスク１１２より再生する。ディスク制御部１１２は、再生されたＶＴＳをメモリ１１４に書き込む。ＭＰＥＧ２符号化復号化部１０５は再生されたＶＴＳデータ中の動画データを復号する。
【００５３】
復号されたIピクチャデータは、ビデオフレームデータとしてメモリ１１４のビデオフレームバンク１（符号６０１）に書き込まれる。サブピクチャ符号／復号化部１０７は、再生されたＶＴＳデータ中のSPパック群から、ユーザが選択したサブピクチャストリームデータを抜き出し、ビットマップデータを復号してメモリ１１４のOn-screen Display（OSD）バンク２（符号６０２）に記録する。
【００５４】
同様に、次のIピクチャ、ビットマップデータを、それぞれOSDバンク１（符号６０３）、OSDバンク２（符号６０４）に記録する。このタイミングで、表示部は既にデータが記録済みのビデオフレームバンク１、OSDバンク１からデータを読み出し、ビデオフレームの上にビットマップを重ね合わせて表示データを生成し、表示を行う。以上の処理を行うことにより、図２に示したようなのフォトムービーの再生を実現することができる。
【００５５】
（本発明に係る他の実施形態）
前述した本発明の実施形態における記録装置を構成する各手段、並びに記録方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５６】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００５７】
なお、本発明は、前述した実施形態の機能を実現するソフトウェアのプログラム（実施形態では図５に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００５８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５９】
その場合、プログラムの機能を有していれば、オブジェクトコード、インタプリタにより実行されるプログラム、ＯＳに供給するスクリプトデータ等の形態であってもよい。
【００６０】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００６１】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００６２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００６４】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００６５】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６６】
【図１】本実施形態を示し、撮像装置の構成例を説明するブロック図である。
【図２】ＤＶＤディスクの記録状態を説明する図である。
【図３】本実施形態のサブピクチャを示し、フォトムービー作成時に、１つ以上のサブピクチャストリームを記録する様子を説明する図である。
【図４】フォトムービ−の構成例を説明する図である。
【図５】フォトムービ−生成手順の一例を示すフローチャートである。
【図６】再生時におけるメモリの様子を示す図である。
【符号の説明】
【００６７】
１０１  制御部
１０２  レンズ
１０３  撮像素子
１０４  信号処理部
１０５  ＭＰＥＧ２符号／復号化部
１０６  ＪＰＥＧ符号／復号化部
１０７  サブピクチャ符号化／復号化部
１０８  マイク
１０９  スピーカ
１１０  音声信号符号／復号化部
１１１  ディスク制御部
１１２  ＤＶＤディスク
１１３  フラッシュメモリ
１１４  メモリ
１１５  表示部
１１６  データバス
【図１】
2007281727.tif 000003
【図２】
2007281727.tif 000004
【図３】
2007281727.tif 000005
【図４】
2007281727.tif 000006
【図５】
2007281727.tif 000007
【図６】
2007281727.tif 000008